(57)【特許請求の範囲】
【請求項１】
空気中の塵埃粒子を捕集する捕集部を装置本体内に内蔵した空気清浄装置であって、
立方体形状をした前記装置本体の第一面に設けられた開口部を有すると共に清浄空間の空気を吸い込んで前記捕集部に送るための少なくとも一つの吸込部と、前記捕集部で浄化された空気を排出する吹出部とを有し、前記吸込部の前記開口部が前記装置本体の長手辺に沿って細長で当該吸込部への吸込流が二次元流となる形状を有し、前記吸込部の前記開口部には所定の吸込抵抗を付与する複数のスリットが設けられ且つ当該開口部と前記捕集部との間には当該捕集部の捕集吸込部全体に亘って均一に開放された空間が存在し、前記スリットが前記開口部の長手方向に沿った細長形状であり、［前記開口部の吸込開口面積（前記スリットの総吸込開口面積）］／［前記空間の前記第一面と平行な断面積］が１／５より小さく、一方、前記吹出部からの吹出流が前記吸込流を妨害しない方向に吹き出されることを特徴とする空気清浄装置。
【請求項２】
請求項１において、前記開口部の短辺長／長辺長が、１／５以下であることを特徴とする空気清浄装置。
【請求項３】
請求項１又は２において、前記スリットの短辺長／長辺長が１／５以下であることを特徴とする空気清浄装置。
【請求項４】
請求項１〜３の何れかにおいて、前記吸込口が二つあり且つその形状、大きさ及び配置並びに吸込量が前記装置本体の第一面の中央に直交する中心線を中心とした点対称となるように設けられており、当該吸込口の前記開口部が、前記装置本体の第一面と略面一に設けられていることを特徴とする空気清浄装置。
【請求項５】
請求項１〜４の何れかにおいて、前記吹出部の吹出口は、前記開口部が設けられた第一面内には開口しておらず、前記第一面とは略直交し且つ相対向する面に設けられていることを特徴とする空気清浄装置。
【請求項６】
請求項５において、前記第一面は、少なくとも前記吹出口が形成された面より外側に突出しており、前記吹出口が形成された相対向する面は、前記装置本体の短辺側の面であることを特徴とする空気清浄装置。
【請求項７】
請求項５又は６において、前記吹出口からの吹出流は、前記装置本体の第一面に平行に吹き出すことを特徴とする空気清浄装置。
【請求項８】
請求項５〜７の何れかにおいて、前記吹出口の形状、大きさ及び配置並びに吹出風量及び吹出方向が、前記装置全体の前記第一面の中央に直交する中心線を中心として略点対称となるように設けられていることを特徴とする空気清浄装置。
【請求項９】
請求項５〜８の何れかにおいて、前記吹出部からの吹出流が、前記第一面の長手辺と平行な中心線に対して１５°以下の傾斜角度で傾斜し且つ点対称方向に吹き出されることを特徴とする空気清浄装置。
【請求項１０】
請求項５〜９の何れかにおいて、前記吹出部には、吹出流を拡散し難い略一様流とする一様流生成部が設けられていることを特徴とする空気清浄装置。
【請求項１１】
請求項１０において、前記一様流生成部は、前記吹出口に設けられて所定の吹出抵抗を付与する開口形成部材と、この開口形成部材の上流側に設けられて前記吹出流を吹出方向に整流する整流格子と、この整流格子の上流側に設けられて前記吹出口の吹出方向に延設される直管部とを有することを特徴とする空気清浄装置。
【請求項１２】
請求項１１において、前記整流格子の中心線と内径対角線との傾斜角度が３０°以下であることを特徴とする空気清浄装置。
【請求項１３】
請求項１〜１２の何れかに記載の空気清浄装置がテーブル型であり、前記装置本体の第一面がテーブルの天板となることを特徴とするテーブル型空気清浄装置。
【発明の詳細な説明】
【０００１】
【発明の属する技術分野】
本発明は、清浄空間に浮遊する塵埃等の粒子を効果的に清浄する空気清浄装置に関するものである。
【０００２】
【従来の技術】
近年、空気中の各種粉塵や煙草の煙を除去するために、分煙カウンター、分煙テーブル等が知られている。これらは、カウンターやテーブルに空気清浄機を付設又は内蔵したものである。
【０００３】
このような分煙テーブルで、特に煙草煙の吸込範囲は、吸込方法、吸込部の形状や位置、天板の寸法や形状、及び吸込風量等によって決まる。
【０００４】
また、従来の分煙テーブルでは、吹出風は、テーブル本体の側面下部や底面から排出されるか、装置本体内部でリサイクルして吸込に再利用される。
【０００５】
【発明が解決しようとする課題】
しかしながら、従来においては、吸込範囲が十分ではなく、煙草煙を高効率で除去することはできないという問題がある。
【０００６】
例えば、応接室のテーブルを分煙テーブルとした場合、応接室の応接椅子でリラックスした姿勢で煙草を吸うとすると、煙草煙発生地点が、テーブルセンターから、水平距離１１２５ｍｍ、高さ３８０ｍｍ程度離れていることになる。この場合、リラックスポイント（１１２５，３８０）からの煙草煙は、従来の通常の吸込方法、吸込部形状、吸込風量（例えば、１０ｍ3／ｍｉｎ）では、直接吸い込むことができず、拡散してしまい、十分な清浄効果が得られない。
【０００７】
また、このような分煙テーブルで、吸込範囲を広げる手段としては、風量増大が考えられが、ある程度以上に風量が増大すると、機器騒音、誘引風の増大、吹出風速・風量の増大による問題が発生し、また、拡散する前に吸い込む局所部分吸込の効果が減少するという問題がある。上述したリラックスポイントの煙草煙を吸い込むためには、計算では少なくとも３０ｍ3／ｍｉｎの風量が必要となるが、前記問題が発生するために現実的には無理な値である。
【０００８】
さらに、吹出風が排出される場合には、吸込の誘引、乱等により吸込を妨害するという問題もある。一方、吹出風再利用すると、装置本体構造が複雑となり、広いスペースが必要となるという問題がある。
【０００９】
本発明は、このような事情に鑑み、前記問題を解消し、少ない風量でも吸込範囲を大幅に向上させ、清浄空間の清浄を効果的に行うことができる空気清浄装置を提供することを課題とする。
【００１０】
【課題を解決するための手段】
前記課題を解決する本発明の第１の態様は、空気中の塵埃粒子を捕集する捕集部を装置本体内に内蔵した空気清浄装置であって、立方体形状をした前記装置本体の第一面に設けられた開口部を有すると共に清浄空間の空気を吸い込んで前記捕集部に送るための少なくとも一つの吸込部と、前記捕集部で浄化された空気を排出する吹出部とを有し、前記吸込部の前記開口部が前記装置本体の長手辺に沿って細長で当該吸込部への吸込流が二次元流となる形状を有し、前記吸込部の前記開口部には所定の吸込抵抗を付与する複数のスリットが設けられ且つ当該開口部と前記捕集部との間には当該捕集部の捕集吸込部全体に亘って均一に開放された空間が存在し、前記スリットが前記開口部の長手方向に沿った細長形状であり、［前記開口部の吸込開口面積（前記スリットの総吸込開口面積）］／［前記空間の前記第一面と平行な断面積］が１／５より小さく、一方、前記吹出部からの吹出流が前記吸込流を妨害しない方向に吹き出されることを特徴とする空気清浄装置にある。
【００１１】
かかる第１の態様では、［前記開口部の吸込開口面積（前記スリットの総吸込開口面積）］／［前記空間の前記第一面と平行な断面積］が１／５より小さいので、吸込流が二次元流となり、吸込範囲を大きくすることができ、また、吹出流が誘引等により吸込流の妨害にならないので、吸込範囲を有効に清浄できる。また、吸込部の開口部と捕集部の捕集吸込部との間に閉じた空間が形成されて捕集吸込部の平面方向に亘って均一にプリーナム効果により吸い込まれ、且つ複数の開口部からの吸込が略均一・均等になり、また、細長の開口部に、所定の吸込抵抗が有効に形成される。
【００１２】
本発明の第２の態様は、第１の態様において、前記開口部の短辺長／長辺長が、１／５以下であることを特徴とする空気清浄装置にある。
【００１３】
かかる第２の態様では、所定の縦横比の細長の開口部により、吸込流が二次元流となる。
【００１４】
本発明の第３の態様は、第１又は２の態様において、前記スリットの短辺長／長辺長が１／５以下であることを特徴とする空気清浄装置にある。
【００１５】
かかる第３の態様では、有効な吸込抵抗が形成される。
【００１６】
本発明の第４の態様では、第１〜３の何れかの態様において、前記吸込口が二つあり且つその形状、大きさ及び配置並びに吸込量が前記装置本体の第一面の中央に直交する中心線を中心とした点対称となるように設けられており、当該吸込口の前記開口部が、前記装置本体の第一面と略面一に設けられていることを特徴とする空気清浄装置にある。
【００１７】
かかる第４の態様では、吸込範囲の拡大を図ることができ、例えば、テーブル型の場合にはテーブルとしての機能を有効に発揮すると共に清浄空間内での吸込流の流れが点対称になる。
【００２０】
本発明の第５の態様は、第１〜４の何れかの態様において、前記吹出部の吹出口は、前記開口部が設けられた第一面内には開口しておらず、前記第一面とは略直交し且つ相対向する面に設けられていることを特徴とする空気清浄装置にある。
【００２１】
かかる第５の態様では、吹出部からの吹出流が吸込部へ吸い込まれる吸込流を妨害せず、吹出部からの吹出流が、吸込流を誘引・撹拌により妨害しない。
【００２２】
本発明の第６の態様は、第５の態様において、前記第一面は、少なくとも前記吹出口が形成された面より外側に突出しており、前記吹出口が形成された相対向する面は、前記装置本体の短辺側の面であることを特徴とする空気清浄装置にある。
【００２３】
かかる第６の態様では、吹出部からの吹出流による吸込流の妨害が天板により有効に阻止され、また、吹出流の吹出方向が、吸込流の方向と略直交し、吹出流による吸込流の妨害が生じ難い。
【００２４】
本発明の第７の態様は、第５又は６の態様において、前記吹出口からの吹出流は、前記装置本体の第一面に平行に吹き出すことを特徴とする空気清浄装置にある。
【００２５】
かかる第７の態様では、吹出部からの吹出流が、第一面に設けられた吸込部への吸込流を妨害し難い。
【００２６】
本発明の第８の態様は、第５〜７の何れかの態様において、前記吹出口の形状、大きさ及び配置並びに吹出風量及び吹出方向が、前記装置全体の前記第一面の中央に直交する中心線を中心として略点対称となるように設けられていることを特徴とする空気清浄装置にある。
【００２７】
かかる第８の態様では、吹出部からの吹出流が、清浄空間内で略点対称となり、清浄空間内で吹出流が吸込を補助するサーキュレーション流が形成される。
【００２８】
本発明の第９の態様は、第５〜８の何れかの態様において、前記吹出部からの吹出流が、前記第一面の長手辺と平行な中心線に対して１５°以下の傾斜角度で傾斜し且つ点対称方向に吹き出されることを特徴とする空気清浄装置にある。
【００２９】
かかる第９の態様では、有効なサーキュレーション流が形成される。
【００３０】
本発明の第１０の態様は、第５〜９の何れかの態様において、前記吹出部には、吹出流を拡散し難い略一様流とする一様流生成部が設けられていることを特徴とする空気清浄装置にある。
【００３１】
かかる第１０の態様では、吹出流の拡散による吸込流の誘引などの妨害が阻止される。
【００３２】
本発明の第１１の態様は、第１０の態様において、前記一様流生成部は、前記吹出口に設けられて所定の吹出抵抗を付与する開口形成部材と、この開口形成部材の上流側に設けられて前記吹出流を吹出方向に整流する整流格子と、この整流格子の上流側に設けられて前記吹出口の吹出方向に延設される直管部とを有することを特徴とする空気清浄装置にある。
【００３３】
かかる第１１の態様では、省スペースを図ったまま、有効に一様流を形成できる。
【００３４】
本発明の第１２の態様は、第１１の態様において、前記整流格子の中心線と内径対角線との傾斜角度が３０°以下であることを特徴とする空気清浄装置にある。
【００３５】
かかる第１２の態様では、整流格子により有効に整流されて一様流が形成される。
【００３６】
本発明の第１３の態様は、第１〜１２の何れかの態様の空気清浄装置がテーブル型であり、前記装置本体の第一面がテーブルの天板となることを特徴とするテーブル型空気清浄装置にある。
【００３７】
かかる第１３の態様では、デーブルの表面に吸込部の開口部を有するテーブル型空気清浄装置が実現される。
【００４６】
【発明の実施の形態】
以下、本発明を実施形態に基づいて説明する。
【００４７】
図１には一実施形態に係るテーブル型空気清浄装置の外観斜視図、図２にはその平面図、図３にはその正面図、図４にはその側面図、図５には内部構造を表す概略側断面図、図６には内部構造を表す概略平断面図を示す。
【００４８】
これらの図面に示すように、空気清浄装置１０は、平均的な応接室で使用される応接テーブル型の空気清浄装置であり、天板２０と、テーブル本体３０とを具備し、テーブル本体３０内には、捕集部４０及びファン５０とが配置されている。
【００４９】
天板２０には、天板吸込部を構成する細長い長方形の貫通孔である開口部１１０が二つ設けられており、これら開口部１１０の上面側（外側）の開口にはそれぞれスリット板１２０が設けられている。一方、テーブル本体３０の捕集部４０の上方（天板２０側）には、二つの開口部１１０を介して以外には外部に連通しない閉ざされた空間である吸込空間部１３０が画成されており、この吸込空間部１３０の反対側（下側）は、捕集部４０の吸込開口４１に連通している。
【００５０】
ここで、開口部１１０は、天板２０の長手辺に沿って平行に、中心から略等距離の位置に形成されている。また、各開口部１１０の開口は、吸込流Ｗinが二次元流となる形状としてあり、開口部１１０の開口の短辺長／長辺長が１／５以下となるようになっている。開口の短辺長／長辺長が１／５より大きくなると、吸込流が三次元流となってしまうからである。このように二次元流の吸込流Ｗinとなると、詳細は後述するが、吸込流Ｗinが長手辺側（すなわち、短手方向両側）から効果的に開口部１１０に吸い込まれる。つまり、応接椅子が配置される側から効果的に吸込流Ｗinが開口部１１０に流入するので、例えば、応接椅子に座った喫煙者からの煙草煙が効果的に吸い込まれるようになる。
【００５１】
スリット板１２０には、所定の吸込抵抗となるように複数のスリット１２１が形成されている。各スリット１２１は、開口部１１０の長手方向に沿って細長い形状が好ましく、長方形、好ましくは長円形（又は楕円）とするのがよい。本実施形態では長円形としたが、このように細長い形状の短辺長／長辺長が１／５以下となるのが好ましい。これは、開口部１１０の開口形状と相俟って、有効に二次元流の吸込流Ｗinとするためである。
【００５２】
かかるスリット板１２０と捕集部４０の吸込開口４１との間には、上述したように開口部１１０以外では装置外部と連通しない閉じられた吸込空間部１３０が形成されているので、スリット板１２０で形成された吸込抵抗とそれに続くほとんど吸引抵抗のない吸込空間部１３０の存在とによるプリーナム効果により、二本の開口部１１０から略均一・均等に且つ各開口部１１０の長手方向に亘って略均一に吸込流Ｗinが吸込空間部１３０内に流入し、また、このように吸い込まれた空気は、捕集部４０の吸込開口４１から平面方向に亘って均一に捕集部４０内に流入される。また、スリット板１２０により吸込抵抗が開口部１１０に形成され、開口部１１０の開口面積を絞る（若干減少させる）ことにより吸込風速が増加するという効果も併せ持つ。
【００５３】
このような効果を得るためには、開口部１１０の通過風速に対し、吸込空間部１３０内の通過風速が１／５以下、又は開口部１１０の吸込開口面積（すなわち、スリット１２１の総吸込開口面積）／吸込空間部１３０の天板２０と平行な断面積が１／５より小さいのが好ましい。
【００５４】
ここで、開口部１１０の全体の吸込面風速の平均値に対する各ポイントの吸込面風速の比を、平均値が１．１７ｍ／ｓの場合及び１．１４ｍ／ｓの場合について、長手方向に亘って測定した。なお、風量は９．６ｍ／ｍｉｎとし、風速計として熱線風速計を用いた。
【００５５】
この測定結果を図７に示す。この結果より、風速分布は、開口部１１０の長手方向に亘って±２０％の範囲にあり、天板２０の長手方向に亘ってほぼ均一な吸込面風量となっていることが確認された。
【００５６】
また、、図８（ａ）に示すように、天板の寸法を長辺１６００ｍｍ、短辺７５０ｍｍ、厚さ２７ｍｍとし、長辺１５００ｍｍ、短辺５０ｍｍ（短辺／長辺＝１／３０）の大きさの開口部を天板の中央部に３００ｍｍの間隔で二つ配置した場合（実施例１）、図８（ｂ）に示すように、長辺７５０ｍｍ、短辺１００ｍｍ（短辺／長辺＝１／７．５）の大きさの開口部を天板の中央部に３００ｍｍ間隔で二つ配置した場合（実施例２）、及び図８（ｃ）に示すように、天板の中央部に長辺７５０ｍｍ、短辺２００ｍｍ（短辺／長辺＝１／３．７５）の開口部を一つ配置した場合（比較例１）のそれぞれにおける吸込流を計算した。
【００５７】
実施例１及び２の場合には、図９に実施例１を代表して示すように、吸込流は二次元流であり、等速吸込面Ｐ１は円柱状である。また、比較例１の場合は、図１０に示すように、吸込流は三次元流であり、等速吸込面Ｐ２は球状である。そして、各実施例１及び２並びに比較例１について、風量Ｑ＝１２ｍ3／ｍｉｎ、Ｑ＝１５ｍ3／ｍｉｎのそれぞれにおいて、風速ｖ≒０．１ｍ／ｓの等速度吸込面の半径Ｘ、Ｘ１を計算した。計算に用いた式は二次元流の実施例１及び２についてはプリーナム効果の実験式（下記式（１））であり、三次元流の比較例１についてはＤａｌｌａ  Ｖａｌｌｅの実験式（下記式（２）である。なお、式中のａは天板開口部の長辺長さ、Ａは天板開口部の開口面積、Ｑ１は吸込口１ヶ当たりの風量である。また、Ｘ２は天板の中心と開口部の中心までの距離を等速度吸込面半径Ｘ若しくはＸ１に加えたもので、天板中心からの風速ｖ≒０．１ｍ／ｓの等速度吸込面までの距離である。なお、比較例１については、ＸとＸ２とは吸込部が天板中央にあるため同一となる。この結果を下記表１に示す。
【００５８】
【数１】
0003762845.tif 000002
0003762845.tif 000003
【００５９】
【数２】
0003762845.tif 000004
0003762845.tif 000005
【００６０】
【表１】
0003762845.tif 000006
【００６１】
この結果より、開口部の長辺の寸法が同一の場合（実施例２と比較例１）には、二次元流の実施例２の方が三次元流の比較例１より、吸込口１つ当たりの風量は半分であるにも拘わらず、等速度吸込面までの距離Ｘ２が大きいことが判った。これは、より遠方の位置から直接空気を吸い込むこと、すなわち、局所部分吸込範囲が大きいことを意味する。
【００６２】
また、風量を１２ｍ3／ｍｉｎから１５ｍ3／ｍｉｎに変更した場合を比較すると、二次元流の実施例１及び２の方が、三次元流の比較例１と比較して吸込幅Ｘ２の増加率が高い。すなわち、二次元流とした方が、風量を増大することに比例して吸込距離も増加し、三次元流の比較例１より風量が効率的に使用されることが判った。なお、図１０に示すように、二次元流、三次元流とも、天板の下方の領域Ｓから空気を吸い込んでしまうと、領域Ｓの分だけ煙草煙を遠方から吸い込むエネルギーが消費（ロス）されてしまうため、天板２０はテーブル本体３０から外側に突出している方がよい。この突出した天板の仕切り効果により、領域Ｓからの空気の吸込を減らし、より遠方から煙草煙を吸い込むエネルギーを増やすことが可能になる。また、天板２０をテーブル本体３０から突出させることにより、椅子に座った喫煙者の足が天板の下側に入れられ、喫煙者の方に天板を近づけることができ、使用状態からいっても好ましい。更に、外側に突出した天板の仕切り効果は、吹出流により吸込流が誘引されてしまうことの防止をする効果も兼ねる。
【００６３】
さらに、実施例１では、二次元流の吸込流であり、上述したように天板の長辺長さと略同じ長さで開口部があるため、開口部全体に亘って均一に吸込流の等速度吸込面が形成される。これに上述の天板２０の仕切り効果を合わせることにより、更に天板の長辺方向全体に亘って、均一に吸込流の等速度吸込面が形成される。したがって、図１１に示すように、空気清浄装置１０の長手辺側に応接椅子２１０、２２０を配置し、応接椅子２１０、２２０にゆったりと腰かけた喫煙者の口の位置に当たるリラックスポイントＲＰで煙草煙が発生したことを考えると、比較例１では図１０に示される吹出風により誘引され等速度吸込面に向かわない実線矢印で示されるリラックスポイントからの気流の流れが、実施例１の場合には図９で示すように有効に吸込部、即ち開口部に向かうこととなる。
【００６４】
なお、上述した吸込流の風速が０．１ｍ／ｓの位置は、その位置で煙草煙が発生すると、煙草煙が拡散せずに直接吸い込まれることが実験的に確認されている。図１２には、実際にマイルドセブン（商品名）の煙草煙を用い、煙草煙の傾斜角度θと、その発生点の通過風速との関係を示す。この結果より、通過風速が０．１ｍ／ｓあれば、煙草煙の傾斜角度θはほぼ０度となり、そのまま吸い込まれることが認められた。
【００６５】
一方、捕集部４０は、図中上面側の吸引開口４１から吸い込んだ空気中の塵埃等の粒子を静電気的に、濾過により、又はその両方の作用で集塵し、清浄化した空気を図中下面側の吹出開口４２から吹き出すものであれば何れの方式のものでもよいが、本実施形態では、静電式集塵方式の帯電捕集部を用いている。
【００６６】
すなわち、捕集部４０は、吸込開口４１の内方に、順次、プレフィルタ、帯電部であるアイオナイザ、及び捕集部であるコレクタが内蔵され、さらに、反対側にはオゾン分解タイプの脱臭フィルタが取り付けられている。従って、吸込開口４１から含塵空気等を送り込むと、塵埃が除去された清浄空気が反対側の吹出開口４２から吐出するようになっている。
【００６７】
また、アイオナイザ及びコレクタは、放電電極部材、対向電極部材、非集塵電極部材及び集塵電極部材の組み合わせにより形成し、対向電極部材及び集塵電極部材は体積固有抵抗値が１０7Ωｃｍ以下の導電性樹脂材料で形成し、非集塵電極部材は体積固有抵抗値が１０10〜１０13Ωｃｍの半導電性樹脂材料で形成するのが好ましい。この場合、アイオナイザは、集塵電極部材と非集塵電極部材との組み合わせにより構成され、コレクタは、対向電極部材と高圧電極部材との組み合わせにより構成される。このように構成したアイオナイザ及びコレクタでは、アイオナイザにより荷電された粒子の中に導電性粉塵が混在していても、非集塵電極部材の電荷の移動が半導電性樹脂材料の抵抗で制限されるため、集塵部の非集塵電極部材と集塵電極部材との間でのスパーク発生が防止できる。
【００６８】
捕集部４０（複数箇所あり）の下方側（吹出開口４２側）のファン５０はシロッコファンであり、テーブル本体３０の短手方向の一方側に長手方向に並んで一対設けられている。また、各ファン５０のテーブル本体３０の短手方向側には各ファン５０の排出口５１と連通したダクトである吹出空間部１４０長手方向に亘って設けられている。吹出空間部１４０の長手方向両端部は、それぞれテーブル本体３０の長手方向両端部（短手側）の側面に設けられた吹出開口部１５０に連通する以外は閉ざされた空間となっている。従って、ファン５０は、捕集部３０の吹出開口４２から清浄化された空気を吸込み、排出口５１を介して吹出空間部１４０内に空気を排出するものであればよい。
【００６９】
ここで、上述したように、浄化された空気が吹出流Ｗoutとして吹き出される吹出開口部１５０は、テーブル本体３０の長手方向両側（すなわち、短手辺側）の側面に設けられている。このように、吹出開口部１５０の位置は、吸込の開口部１１０とは少なくとも同じ面内にないのが好ましく、できるだけ遠方に配置されるのがよい。また、図１１に示すように、空気清浄装置１０の長手辺側には応接椅子２１０が２個と、長椅子２２０とが配置されるが、吹出開口部１５０は、椅子が吹出流の障害物とならないように、また、吹出流による足寒感（ドラフト）が起こらないように短手辺側の側面に配置される。さらに、本実施形態では、天板２０がテーブル本体３０より外側に張り出す構成とすることにより、吸込流と吹出流とをさらに良好に隔離して誘引等がより確実に防止される構造となっている。
【００７０】
このような構成によると、吹出開口部１５０の設けられた面と開口部１１０が設けられた天板２０の面とが直交し、吹出流Ｗoutの吹出方向と吸込流Ｗinの吸込方向が略直交するので、吹出流Ｗoutにより吸込流Ｗinが誘引、撹拌等により妨害されることが回避される。例えば、図１３（ａ）に示すように、吸込流Ｗinの方向に向けて吹出流Ｗoutを吹き出す、すなわち、吸込流Ｗinの方向と吹出流Ｗoutの方向とが一致する（１８０°ずれる）と、吸込流Ｗinの一部が吹出流Ｗoutに誘引され、開口部には向かわずに吹出流Ｗoutにのって拡散されてしまう。
【００７１】
また、吹出流Ｗoutの吹出方向に椅子２１０、２２０などの障害物があると、吹出流が乱れて誘引、拡散が生じやすくなるが、これも防止される。すなわち、図１３（ｂ）に示すように、吹出流Ｗoutの吹出側に障害物があると、吹出流の乱れが生じ、誘引、拡散の大きな原因となる。
【００７２】
なお、誘引をより確実に防止するためには、吹出開口部１５０は、床に近づけ、開口面積を大きくして吹出風速を低減するのが好ましい。このようにすると、誘引が防止されるだけでなく、床汚れ、壁汚れ、ドラフトの対策となる。
【００７３】
さらに、このような吹出流Ｗoutは、清浄空間の壁で反射されて結果的に吸込流Ｗinに合流し、吸込を補助するようなサーキュレーション流となり、プッシュプルの効果を得るのが好ましい。このようなサーキュレーション流を発生させるためには、標準的な応接室（例えば、４ｍ×３．２ｍ×高さ２．５ｍ）の中央にテーブル型の空気清浄装置１０を配置するのがよい。この場合、好適には、吹出流Ｗoutは、応接室の壁に到達した後、左右上下方向に別れ、さらに、応接室の壁、天井に沿って流れて最終的に吸込流Ｗinに合流するようになる。このようなサーキュレーション流を効率的に形成するためには、吹出流Ｗoutが壁に到達した際に左右方向が等量の風速及び等量の風量に分かれるのが好ましい。このようなサーキュレーション流を模式的に示したのが図１４（ａ），（ｂ）であり、サーキュレーション流の全体のイメージを示したのが図１５である。
【００７４】
このようなサーキュレーション流を形成する条件としては、吹出流Ｗoutが、吹出後拡散せず、風向きが点対称であり、本体に対する吹出角度を小さく、壁に当たるまでは一様流（気流断面の風速分布が均一）であることが必要である。吹出流Ｗoutが吹出後、拡散するか乱れると、サーキュレーションが生じない原因となる他、誘引、拡散の原因となり、また、吹出流Ｗoutが左右非対称の場合には、風量が非対称になって、開口部１１０の一方からの吸込量が大きくなるという不具合が生じる。さらに、吹出開口部１５０の面方向全体に亘って、風速、風量が均一に分布しているのが望ましい。
【００７５】
本実施形態では、誘引、拡散を防止し、サーキュレーション流を形成するために、吹出空間１４０の吹出開口１５０近傍には、吹出開口１５０から吹き出された空気を一様流にするために一様流生成部１６０が設けられている。本実施形態の一様流生成部１６０は、一端が吹出開口１５０に連通して吹出方向に延びる直管部１６１と、直管部１６１の吹出開口１５０側に内蔵される整流格子１６２と、吹出開口１５０に配置されて所定の吹出抵抗を生成する抵抗形成板１６３とを具備する。
【００７６】
本実施形態のように所定のスペースにおいて、一様流を効果的に得るためには、吹き出す空気を吹出方向に向け、予備整流を行うための直管部１６１と、この後流側に設けられて吹出角度（拡散する角度）を小さくするための整流格子１６２と、吹出部に設けられて所定の吹出抵抗を生成して吹出開口１５０全面に亘って均一な風速及び風量を得るためのプリーナム効果を奏する抵抗形成板１６３との組み合わせが最も効果的である。
【００７７】
ここで、整流格子１６２は、所定の吹出断面積を有するパイプ１６２ａの集合体である。各パイプ１６２ａの断面形状は円形、矩形、多角形等何れでもよいが、左右上下対称の形状が好ましく、その整流格子１６２の長手方向断面積の寸法は、長手方向の最大対角線の傾斜角度が３０°以下であるものが好ましい。また、長さは、直管部１６１の全体の長さの半分以下が好ましい。本実施形態では、幾通りかの直管部の長さについて各々整流格子の長さを変化させ、最も吸込効率が高く、左右が均等の吸込となる寸法を選択・採用し、９０ｍｍの長さの直管部１６１の中に、長さ４０ｍｍで直径が８．５ｍｍの断面円形のパイプ１６２ａ（最大対角線傾斜角度約１１．９°）の集合体である整流格子１６２を装着した。
【００７８】
また、抵抗形成板１６３としては、好適には所定形状の貫通孔を所定の配列で打ち抜いたパンチングメタルを用いればよく、本実施形態では、各開口１６３ａが直径２．０ｍｍの円形で、開口率が約３０％の厚さ０．８〜１ｍｍ程度のパンチングメタルを用いた。なお、抵抗形成板１６３の各開口１６３ａも上下左右対称形が好ましい。
【００７９】
このような構成のテーブル型の空気清浄装置１０を図１１のように標準的な応接室（４ｍ×３．２ｍ×高さ２．５ｍ）の中央部に載置し、長手辺側の両側に応接椅子２１０及び長椅子２２０を配置した場合（長椅子側にファン５０が内蔵されている）に、リラックスポイントＲＰ（天板長手方向中央位置）（１１２５，３８０）、及び（１１２５，２８０）の地点から煙草煙を発生させて、その吸込率（吸込量）を目視にて観察した。この結果を表２に示す。なお、吸込の開口部１１０の構成は上述した実施例１のものとしたので、表２には実施例１として試験結果を表す。なお、吸込開口の形状は実施例１と同一であるが、吹出開口部１５０の一様流生成部をパンチングメタルのみにした場合（比較例２）、一様流生成部をパンチングメタル及び直管のみとした場合（比較例３）、さらに、一様流生成部をパンチングメタル、整流格子及び直管で構成したが、直管の長さと整流格子の長さを同じにしたもの、すなわち、直管が実質的にないもの（比較例４）についても、同様の試験を行い、結果を表２に併せて示す。
【００８０】
【表２】
0003762845.tif 000007
【００８１】
この結果より、実施例１の場合には、吹出流によるプッシュプルの効果が発揮され且つ誘引がほとんど観察されず、吸込率が左右側ほぼ均一に良好であった。すなわち、全体には長椅子側の方が吸込率が良好であるが、椅子２個側も良好であり、長椅子側・椅子２個側の吸込率の非対称性が最も少なかった。
【００８２】
これに対し、パンチングメタルのみの比較例２では、ほとんど吸い込まない結果となった。また、整流格子がない比較例３及び直管部がない比較例４については、長椅子側だけが吸い込む結果となった。これは、前述の通り本実施態様においては使用したファン５０の関係上、ファンが長椅子側、通風ダクトが椅子２個側にあるため、２箇所の吹出開口から吹き出される吹出流が長椅子側に傾斜しており、結果として長椅子側の吸込口に対するプッシュ効果だけが強くなりすぎたためと思われる。また、比較例２及び３については、整流格子等がないため２つの吹出開口からの吹出流の拡散角度が大きく、拡散した吹出流により吸込流を誘引したか、サーキュレーション効果が少ないことが影響しているものと考えられる。
【００８３】
以上の結果より、一様流形成部１６０は、ほとんど拡散しない一様流を面方向に均一に天板の中央に直交する中心線を中心とした点対称になるように吹き出すものであることが必要である。従って、この実験結果からは、直管部１６１、整流格子１６２及び抵抗形成板１６３の組み合わせが最も効果的であることが判ったが、同様の作用を生じるものであれば、この構造に限定されないのは勿論である。
【００８４】
また、吸込部の開口部１１０の形状が異なるものについて、実験室（４ｍ×３．２ｍ×高さ２．５ｍ）において試験を行い、天板中央を長辺と直交する中心線上における線香煙を吸い込む範囲を目視にて観察・測定した。この結果を図１６（ａ）に示す。
【００８５】
ここで、実施例１′は、図１７に示すように側面から傾斜した方向に吹出流Ｗoutが吹き出すようにしたものである以外は上述した実施例１と同様であり、開口部１１０（１５００mm×５０ｍｍを２本平行に並べたもの）にスリット板１２０を設けた構造で、処理風量が１３．６ｍ3／ｍｉｎである。なお、吹出部からの吹出流の傾斜角度は、実施例１′においては、７．５゜とした。
【００８６】
比較例５は、図１８に外観を示すように、開口部２１０を凸形とした形状（長さは７５０ｍｍ）で処理風量が１４．６ｍ3／ｍｉｎである。比較例６は、図１９に外観を示すように、７５０mm×２００mmのフラットな開口部２２０に円形の孔を有するパンチングメタルを設け、処理風量が１３．３ｍ3／ｍｉｎのものである。
【００８７】
この結果より、実施例１′が最も側面方向の吸煙範囲が広いことが確認された。また、実施例１′の目視の様子を図２０に模式的に示す。図２０（ａ）は長椅子側の様子であり、図２０（ｂ）は椅子２個側の様子である。
【００８８】
なお、以上説明した実施形態の構造は一例であり、各部分の構造等は本発明の趣旨に反しない限り、変更修正可能である。
【００８９】
例えば、上述した実施例１では、プッシュプルの効果を得るために、テーブル本体の側面から垂直に且つ向かいの壁に垂直に吹出流を吹き出す構成としたが、清浄空間内で、吹出流が点対称で均一・均等に流れるように設計すれば、これに限定されず、図１７の実施例１′のように側面から傾斜した方向に吹出流Ｗoutが吹き出すようにした空気清浄装置１０Ａとしてもよい。但し、清浄空間内のバランスを取るために、吹出流は点対称に均一・均等に吹き出すように設計する必要があり、このような場合のサーキュレーション流及び全体のイメージは図２１のようになる。このように吹出流の傾斜角度は、中心に対して点対称で傾斜しているのがよく、望ましくは長辺と平行な中心を通る軸に対して±１５゜以内であることが望ましい。
【００９０】
また、本発明の本質は、テーブル型の空気清浄装置に限定されず、他の空気清浄装置に応用できる。例えば、天井吊り下げ型の空気清浄装置、又は壁付きたて置き型の空気清浄装置についても同様に応用可能である。
【００９１】
図２２には、縦床置き型の空気清浄装置３１０を示す。この場合、天板２０は、清浄空間の垂直の壁から内側に平行に縦置きで配置され、吹出開口部１５０は上面のみに配置されている。
【００９２】
また、図２３には、横床置き型の空気清浄装置３２０を示す。この場合、天板２０は、清浄空間の垂直の壁から内側に平行に縦置きで配置される点は同様であるが、吹出開口部１５０は左右両側に配置されている。
【００９３】
さらに、図２４には、天吊り型の空気清浄装置３３０を示す。この場合、天板２０は、天井の下方に平行に配置され、吹出開口部１５０は、天板２０の長手方向両側の装置本体側面に設けられている。
【００９４】
【発明の効果】
以上説明したように、吸込部の形状・構造及び位置と、吹出部の形状・構造及び位置等を上述したように設計することにより、吸込範囲を向上すると共に吹出流による吸込流の誘引等を防止し且つ吹出流によるプッシュプル効果を得ることにより、応接椅子でリラックスした姿勢で煙草を吸ったときの煙を拡散させずに直接吸い込む（局所部分吸い込む）ことができる。
【図面の簡単な説明】
【図１】本発明の一実施形態のテーブル型の空気清浄装置の外観斜視図である。
【図２】本発明の一実施形態のテーブル型の空気清浄装置の平面図である。
【図３】本発明の一実施形態のテーブル型の空気清浄装置の正面図である。
【図４】本発明の一実施形態のテーブル型の空気清浄装置の側面図である。
【図５】本発明の一実施形態のテーブル型の空気清浄装置の内部構造を表す概略側断面図である。
【図６】本発明の一実施形態のテーブル型の空気清浄装置の内部構造を表す概略平断面図である。
【図７】開口部の長手方向に亘る風速分布を測定した結果を示す図である。
【図８】試験に用いた開口部の形状を示す平面図である。
【図９】実施例１の二次元流の吸込流を模式的に示す図である。
【図１０】比較例１の三次元流の吸込流を模式的に示す図である。
【図１１】一実施形態のテーブル型の空気清浄装置を応接室に配置した状態を示す模式図である。
【図１２】煙草煙の傾斜角度θと、その発生点の通過風速との関係を示す図である。
【図１３】吸込流が誘引された状態を示す模式図である。
【図１４】一実施形態におけるサーキュレーション流を示す模式図である。
【図１５】一実施形態におけるサーキュレーション流を示す模式図である。
【図１６】実施例１′及び比較例５及び６の吸込流の風速ｖ＝０．１ｍ／ｓの範囲を測定した結果を示す図である。
【図１７】実施例１′の空気清浄装置を示す断面図である。
【図１８】比較例５の空気清浄装置を示す外観図である。
【図１９】比較例６の空気清浄装置を示す外観図である。
【図２０】実施例１′の実験結果を示す模式図である。
【図２１】他の実施形態のサーキュレーション流及び全体のイメージを示す図である。
【図２２】縦床置き型の空気清浄装置を示す外観図である。
【図２３】横床置き型の空気清浄装置を示す外観図である。
【図２４】天吊り型の空気清浄装置を示す外観図である。
【符号の説明】
１０，１０Ａ  空気清浄装置
２０  天板
３０  テーブル本体
４０  捕集部
５０  ファン
１００  吸込部
１１０  開口部
１２０  スリット板
１３０  吸込空間部
１４０  吹出空間部
１５０  吹出開口部
１６０  一様流生成部
１６１  直管部
１６２  整流格子
１６３  抵抗生成板
【図１】
0003762845.tif 000008
【図２】
0003762845.tif 000009
【図３】
0003762845.tif 000010
【図４】
0003762845.tif 000011
【図５】
0003762845.tif 000012
【図６】
0003762845.tif 000013
【図７】
0003762845.tif 000014
【図８】
0003762845.tif 000015
【図９】
0003762845.tif 000016
【図１０】
0003762845.tif 000017
【図１１】
0003762845.tif 000018
【図１２】
0003762845.tif 000019
【図１３】
0003762845.tif 000020
【図１４】
0003762845.tif 000021
【図１５】
0003762845.tif 000022
【図１６】
0003762845.tif 000023
【図１７】
0003762845.tif 000024
【図１８】
0003762845.tif 000025
【図１９】
0003762845.tif 000026
【図２０】
0003762845.tif 000027
【図２１】
0003762845.tif 000028
【図２２】
0003762845.tif 000029
【図２３】
0003762845.tif 000030
【図２４】
0003762845.tif 000031